(57)【要約】【課題】  低重心化や軽量化を図ることができるゴルフクラブを提供する。【解決手段】  ゴルフクラブ１０は、クラブヘッド２０がヘッド本体３０とチタン製のネック部４０とを備え、このネック部４０の差込部４２をヘッド本体３０の取付部３７に差し込み、この取付部３７と差込部４２とにかしめ棒を圧入により貫通し、このかしめ棒の両端をかしめてヘッド本体３０とネック部４０とを固定する。また、クラブヘッド２０のソール３２にヘッド本体３０よりも比重の大きい埋設体５１を埋設し、ネック部４０を軽量化した重量をクラブヘッド２０のソール３２に再配分する。【選択図】      図２
2005065929.tif 000002
【特許請求の範囲】
【請求項１】
クラブシャフトの先端にクラブヘッドを備え、
このクラブヘッドがヘッド本体とチタン製のネック部とを備え、
このネック部の差込部を前記ヘッド本体の取付部に差し込み、この取付部と前記差込部とにかしめ棒を圧入により貫通し、このかしめ棒の両端をかしめて、前記ヘッド本体と前記ネック部とを固定したことを特徴とするゴルフクラブ。
【請求項２】
前記かしめ棒の両端を、かしめた後に研磨したことを特徴とする請求項１に記載のゴルフクラブ。
【請求項３】
前記ネック部の差込部に、前記ヘッド本体の取付部に差し込まれたときに、前記差込部と前記取付部との間の空気を外に逃がすための孔を設けたことを特徴とする請求項１又は２に記載のゴルフクラブ。
【請求項４】
前記クラブヘッドのソールに、前記ヘッド本体よりも比重の大きい金属材を埋設したことを特徴とする請求項１乃至３のいずれかに記載のゴルフクラブ。
【発明の詳細な説明】
【技術分野】
【０００１】
本発明は、ゴルフクラブに関する。
【背景技術】
【０００２】
一般に、ゴルフクラブは、クラブヘッドとクラブシャフトからなり、通常、ウッド、アイアン及びパターの３種類に分類される。従来、ゴルフクラブのクラブヘッドは、本体の背面にキャビティと呼ばれる凹部を設け、その凹部を深くえぐるようなアンダーカット形状に形成するなどして余分な肉を削り、その余分な肉の重量を他の部分に再配分させることで重心位置を調整している（例えば特許文献１）。
【特許文献１】特開平７−８５８３号公報
【発明の開示】
【発明が解決しようとする課題】
【０００３】
ところで、ゴルフクラブには、低重心化と軽量化が求められている。すなわち、低重心にすることで、重心位置が打点部に近づいてボールを強く弾くことができ、高齢者や女性でもボールが上がり易くなる。また、軽量にすることで、ヘッドスピードの向上と、ゴルフクラブのコントロール性とを向上することができ、飛距離を延ばしたり、無駄なスピンを回避することができる。
【０００４】
本発明は、上述した事情に鑑みてなされたものであり、低重心化や軽量化を図ることができるゴルフクラブを提供することを目的としている。
【課題を解決するための手段】
【０００５】
上述課題を解決するため、本発明は、ゴルフクラブにおいて、クラブシャフトの先端にクラブヘッドを備え、このクラブヘッドがヘッド本体とチタン製のネック部とを備え、このネック部の差込部を前記ヘッド本体の取付部に差し込み、この取付部と前記差込部とにかしめ棒を圧入により貫通し、このかしめ棒の両端をかしめて、前記ヘッド本体と前記ネック部とを固定したことを特徴とする。この構成によれば、クラブヘッドのネック部をチタン製としているので、ネック部が軽くなり、ゴルフクラブが低重心化する。また、ネック部の差込部をヘッド本体の取付部に差し込み、この取付部と差込部とにかしめ棒を圧入により貫通し、このかしめ棒の両端をかしめて、ヘッド本体とネック部とを固定しているので、ネック部とヘッド本体とに位置ずれが生じてしまう場合を確実に回避することができる。
【０００６】
また、上記構成において、かしめ棒の両端をかしめた後に研磨して、かしめた箇所を外観上目立たないようにしてもよい。また、ネック部の差込部に、ヘッド本体の取付部に差し込まれたときに、差込部と取付部との間の空気を外に逃がすための孔を設けて、ヘッド本体をネック部に差し込みやすくしてもよい。また、クラブヘッドのソールに、ヘッド本体よりも比重の大きい金属材を埋設して、ネック部により軽量化された重量をソール側に再配分してもよい。
【発明の効果】
【０００７】
本発明のゴルフクラブは、クラブヘッドがヘッド本体とチタン製のネック部とを備えるので、ネック部が軽くなり、ゴルフクラブの軽量化を図ることができ、かつ、ゴルフクラブの低重心化を図ることができる。さらに、本発明のゴルフクラブは、ネック部の差込部をヘッド本体の取付部に差し込み、この取付部と差込部とにかしめ棒を圧入により貫通し、このかしめ棒の両端をかしめて、ヘッド本体とネック部とを固定したので、ネック部とヘッド本体とに位置ずれが生じてしまう場合を確実に回避することができる。
【発明を実施するための最良の形態】
【０００８】
以下、図面を参照して本発明の実施形態を説明する。
【０００９】
図１は、本発明の実施形態に係るアイアン形のゴルフクラブ１０を示す図である。このゴルフクラブ１０は、カーボンファイバー等で形成されたクラブシャフト１１と、このクラブシャフト１１の先端に設けられたクラブヘッド２０とを備えている。
【００１０】
クラブヘッド２０は、ヘッド本体３０と、クラブヘッド２０のネック部分に相当する、つまり、クラブシャフト１１とクラブヘッド２０とを連結するホーゼルとして機能するネック部４０とを備える。ヘッド本体３０は、ステンレス等の金属材料を鍛造又は鋳造等の方法を適宜用いて製造され、前面にフェース３１、下部にソール３２、ヘッド本体３０の先端側にトウ３３、ヘッド本体３０のクラブシャフト１１側にヒール３４、及びヒール３４より略斜め上方に突出するホーゼル基部３５が形成される。
【００１１】
図２は、クラブヘッド２０の構成を示す図である。このヘッド本体３０には、フェース３１に、スコアラインと称する複数の平行な細溝３６が従来の方法で形成されると共に、ホーゼル基部３５に、その上面から下方に向けて座繰り穴が形成されることによって、ネック部４０を取り付けるための取付部３７が形成される。さらに、このホーゼル基部３５には、取付部３７の周囲の壁部３８に、ホーゼル基部３５の軸方向（図中矢印Ｘ方向）に対して略垂直方向に貫通する貫通孔が形成されることによって、後述するかしめ棒を圧入するためのかしめ棒孔５０が形成される。
【００１２】
また、ヘッド本体３０のソール３２には、ヘッド本体３０よりも比重の大きい金属材、例えば、タングステン合金からなる埋設体５１が埋設される。この埋設体５１は、ヘッド本体３０のソール３２のトウ３３側とヒール３４側とにそれぞれ埋設される。
【００１３】
ネック部４０は、ヘッド本体３０よりも比重の小さい材料、例えば、純チタン又はチタン合金等で形成され、クラブシャフト１１が挿入される略パイプ形状のシャフト挿入部４１と、ヘッド本体３０の取付部３７に差し込まれる差込部４２とが一体的に形成される。
【００１４】
詳述すると、このネック部４０の差込部４２は、ヘッド本体３０の取付部３７にほぼ隙間無く嵌合する形状に形成されると共に、この差込部４２をヘッド本体３０の取付部３７に挿入したときに、取付部３７のかしめ棒孔５０と連通する位置に貫通孔４３が形成される。さらに、この差込部４２には、取付部３７側の面からシャフト挿入部４１側に向けて貫通する貫通孔４４が形成される。この貫通孔４４は、このネック部４０の差込部４２をヘッド本体３０の取付部３７に差し込む際に、差込部４２と取付部３７との間の空気を外に逃がす空気孔として機能する。これにより、ネック部４０の差込部４２をヘッド本体３０の取付部３７に簡易に奥まで差し込むことが可能となる。
【００１５】
そして、このヘッド本体３０とネック部４０とは、ネック部４０の差込部４２をヘッド本体３０の取付部３７に差し込んで、ヘッド本体３０のかしめ棒孔５０と、ネック部４０の貫通孔４３とを連通させ、この連通した孔に金属製のかしめ棒（不図示）を圧入により貫通させた後、ヘッド本体３０から突出したかしめ棒の両端をハンマ等の工具で打ち付ける等してかしめることによって、強固に結合される。その後、かしめることによって盛り上がった部分は研磨により平滑化され、実際の製品では、外見上目立たないように処理される。
【００１６】
以上説明したように、本実施形態に係るゴルフクラブ１０は、クラブヘッド２０のネック部４０を、ヘッド本体３０よりも比重が小さいチタン製にしたことにより、ネック部とヘッド本体とを同材料で一体成型した従来のゴルフクラブに比して、ヘッド本体より上方のネック部が軽くなる。この結果、ゴルフクラブの低重心化と軽量化を図ることができ、重心位置も調整し易くなる。
【００１７】
また、本実施形態では、ネック部４０を軽量化する一方で、クラブヘッド２０のソール３２にヘッド本体３０よりも比重の大きい埋設体５１を埋設する、つまり、軽量化した重量をソール３２側に再配分することにより、より一層の低重心化を図ることができる。さらに、この埋設体５１を、ヘッド本体３０のソール３２のトウ３３側とヒール３４側とにそれぞれ埋設したことにより、打球の直進性に影響するトウ・ヒールバランスを向上させることができる。
【００１８】
また、本実施形態では、ネック部４０とヘッド本体３０とを、ネック部４０とヘッド本体３０とにかしめ棒を圧入により貫通し、このかしめ棒の両端をかしめて固定しているので、簡易にネック部４０とヘッド本体３０とを結合することができる。この場合、かしめ棒によってネック部４０とヘッド本体３０とが抜ける方向（図２中矢印Ｘ方向）にずれてしまう場合や、ネック部４０の周方向（図２中矢印Ｙ方向）に回転ずれを起こしてしまう場合を抑制することができ、ネック部４０とヘッド本体３０とに位置ずれが生じてしまう場合を確実に回避することができる。
【００１９】
なお、上述した実施形態は、あくまで本発明の一態様に過ぎず、本発明の範囲内で任意に変形が可能である。例えば、上述した実施形態では、アイアン形のゴルフクラブ１０に本発明を適用する場合について述べたが、ウッド、パターのゴルフクラブにも本発明を適用することができる。この発明を適用してゴルフクラブのセットを製造する場合、例えば、ロングアイアンからショートアイアンに向かって付与される、例えば、１番、２番、３番・・・９番、ＰＷ（ピッチングウェッジ）、ＳＷ（サンドウエッジ）の各ゴルフクラブの重量変化が、従来のゴルフクラブのセットの重量変化と同傾向となるように各ゴルフクラブを軽量化することが好ましい。
【００２０】
また、上述した実施形態では、一本のかしめ棒でネック部４０とヘッド本体３０とを固定する場合について述べたが、複数のかしめ棒を異なる方向から貫通して固定してもよく、また、かしめ棒の形状も様々な形状が適用できる。
【図面の簡単な説明】
【００２１】
【図１】本発明の実施形態に係るアイアン形のゴルフクラブを示す図である。
【図２】ゴルフクラブのクラブヘッドの構成を示す図である。
【符号の説明】
【００２２】
１０…ゴルフクラブ、１１…クラブシャフト、２０…クラブヘッド、３０…ヘッド本体、３７…取付部、４０…ネック部、４２…差込部、４３、４４…貫通孔、５０…かしめ棒孔。
【図１】
2005065929.tif 000003
【図２】
2005065929.tif 000004